(57)【要約】【課題】筒本体部に転倒モーメントが発生しても、支持力を発揮できるようにする。【解決手段】下地側支持部１２を、接地板部材３８と、その接地板部材３８に対して立設する筒本体部３９とを、溶接一体化して形成して、筒本体部の下端部に下地に接地する筒状接地部３９Ａを形成し、接地板部材３８の周部に下地２に面接当するアンカー部材固定部３８Ａを設けると共に、接地板部材３８の内側部に上方に膨出する膨出補強部３８Ｂを設け、膨出補強部３８Ｂに筒本体部３９を貫通させる貫通孔４０を形成して、筒状接地部３９Ａとアンカー部材固定部３８Ｂとを同時に下地に接地させた状態で、貫通孔４０に筒本体部３９を貫通させて接地板部材３８と筒本体部３９とを溶接により一体化してある。【選択図】図４
2015014183.tif 000002
【特許請求の範囲】
【請求項１】
取付下地への第１固定部を備えた板金製の下地側支持部と、
上側の固定対象である他物を載置して固定自在な第２固定部を備えた板金製の他物支持部とを設け、
前記下地側支持部を、下地にアンカー部材を介して固定可能な接地板部材と、その接地板部材に対して立設する縦筒形状の筒本体部とを、溶接一体化して形成してある他物固定具であって、
前記筒本体部の下端部に下地に接地する筒状接地部を形成し、
前記接地板部材の周部に下地に面接当するアンカー部材固定部を設けると共に、前記接地板部材の内側部に上方に膨出する膨出補強部を設け、
前記膨出補強部に前記筒本体部を貫通させる貫通孔を形成して、
前記筒状接地部と前記アンカー部材固定部とを同時に下地に接地させた状態で、前記貫通孔に前記筒本体部を貫通させて前記接地板部材と前記筒本体部とを溶接により一体化してある他物固定具。
【請求項２】
前記アンカー部材固定部を、接地板部材の周部で全周に亘って下地に面接当する鍔部に形成してある請求項１に記載の他物固定具。
【請求項３】
前記膨出補強部に、前記筒本体部に亘るリブを一体に設けてある請求項１または２に記載の他物固定具。
【発明の詳細な説明】
【技術分野】
【０００１】
本発明は、取付下地への第１固定部を備えた板金製の下地側支持部と、上側の固定対象である他物を載置して固定自在な第２固定部を備えた板金製の他物支持部とを設け、前記下地側支持部を、下地にアンカー部材を介して固定可能な接地板部材と、その接地板部材に対して立設する縦筒形状の筒本体部とを、溶接一体化して形成してある他物固定具に関する。
【背景技術】
【０００２】
従来、前記接地板部材と前記筒本体部とを溶接一体化して下地側支持部を形成するのに、下地側面全てが下地に接地するように扁平な金属板から接地板部材を形成し、その接地板部材上面に筒本体部下端部を載置して溶接一体化してあった（例えば、特許文献１参照）。
【先行技術文献】
【特許文献】
【０００３】
【特許文献１】特開２０１２−７３３９号公報
【発明の概要】
【発明が解決しようとする課題】
【０００４】
しかし、上述した構造を採用した場合、他物支持部に固定した他物から筒本体部に横方向の外力が作用した場合、筒本体部に転倒モーメント力が発生して、筒本体部と接地板部材との溶接部に応力が集中する。そのために、前記溶接部が破壊したり、接地板部材が変形して支持力を発揮できなくなる虞がある。
【０００５】
従って、筒本体部に転倒モーメントが発生しても、支持力を発揮できるようにするところにある。
【課題を解決するための手段】
【０００６】
本発明の第１の特徴構成は、取付下地への第１固定部を備えた板金製の下地側支持部と、上側の固定対象である他物を載置して固定自在な第２固定部を備えた板金製の他物支持部とを設け、前記下地側支持部を、下地にアンカー部材を介して固定可能な接地板部材と、その接地板部材に対して立設する縦筒形状の筒本体部とを、溶接一体化して形成してある他物固定具であって、前記筒本体部の下端部に下地に接地する筒状接地部を形成し、前記接地板部材の周部に下地に面接当するアンカー部材固定部を設けると共に、前記接地板部材の内側部に上方に膨出する膨出補強部を設け、前記膨出補強部に前記筒本体部を貫通させる貫通孔を形成して、前記筒状接地部と前記アンカー部材固定部とを同時に下地に接地させた状態で、前記貫通孔に前記筒本体部を貫通させて前記接地板部材と前記筒本体部とを溶接により一体化したところにある。
【０００７】
本発明の第１の特徴構成によれば、他物支持部に固定した他物の荷重は、筒本体部の下端部に形成した筒状接地部と接地板部材のアンカー部材固定部とにより支持しながら、他物支持部に固定した他物から筒本体部に横方向の外力が作用して、筒本体部に転倒モーメント力が発生した場合、筒状接地部で支持すると同時に、接地板部材の貫通部に貫通した筒本体部の上下中間部から接地板部材の膨出補強部を介してアンカー部材固定部にモーメント力が伝達して支持力を発揮し、筒本体部が転倒することなく他物の支持を維持できる。
従って、上下方向のみならず横方向の外力にも強い支持力を発揮できる他物固定具を提供できる。
【０００８】
本発明の第２の特徴構成は、前記アンカー部材固定部を、接地板部材の周部で全周に亘って下地に面接当する鍔部に形成してあるところにある。
【０００９】
本発明の第２の特徴構成によれば、他物固定具に作用する上からの荷重は、筒状接地部のみならず、接地板部材の周部で全周に亘って下地に面接当する鍔部によって、安定して支持でき、その鍔部にアンカー部材固定部を設けることにより、他物固定具の下地への定着力を発揮できる。
【００１０】
本発明の第３の特徴構成は、前記膨出補強部に、前記筒本体部に亘るリブを一体に設けたところにある。
【００１１】
本発明の第３の特徴構成によれば、前記膨出補強部に、前記筒本体部に亘るリブを一体に設けることにより、筒本体部に対し横方向の外力が作用した場合に、接地板部材における膨出補強部の変形を防止して、接地板部材による支持効果が大きくなり、筒本体部の傾き作動や転倒を防止し易くできる。
従って、接地板部材を薄板で成形しても、支持機能は損なわれずに軽量化できる。
【図面の簡単な説明】
【００１２】
【図１】他物固定具による固定状態を示す全体斜視図である。
【図２】他物固定具の全体斜視図である。
【図３】他物固定具の下方からの斜視図である。
【図４】全体縦断面図である。
【図５】別実施形態の要部斜視図である。
【図６】別実施形態の要部縦断面図である。
【図７】別実施形態の他物固定具の下方視斜視図である。
【発明を実施するための形態】
【００１３】
以下に本発明の実施の形態を図面に基づいて説明する。
図１に示すように、本発明の他物固定具の一実施形態品（以後、単に固定台１という）を使用して、屋上のコンクリート床やベランダ等の建築物（取付下地２の一例）の上に、ソーラーパネル４やその固定枠５等の固定対象部材（他物の一例）３を固定してある状況を示している。
【００１４】
前記コンクリート床２の上には、防水シート６が敷設してある。
当該実施形態においては、コンクリート床２の全域に防水シート６が敷設してある状態で、その上に、当該固定台１を設置して、固定対象部材３を固定台１に固定してある例を示している。従って、固定台１を設置した後、その周囲に、図４に示すように、防水シート６と固定台１の外周部にわたる状態に立上り防水層７を設置し、その上端部をバンド２９で縛ると共に、シール剤３０を塗布して雨水の浸入を防止して、固定台設置部分から下方への漏水防止を図っている。
コンクリート床２における固定台設置箇所には、アンカーボルトやアンカー用ビス等のアンカー部材８を介して固定台１が固定されている。
【００１５】
前記固定対象部材３は、形鋼をトラス構造に組みあげた固定枠５と、固定枠５の上面に沿って取り付けられたソーラーパネル４とを備えて構成してあり、固定枠５が、固定台１に第２ボルト１９とナットＮとで固定されている。
【００１６】
図２〜図４に示すよう、前記固定台１は次のように構成してある。
つまり、下端部にコンクリート床２への第１固定部９を設け、上端部に固定対象部材３の固定枠５を固定する第２固定部１０を設け、全体を鉄系材料やアルミニウム等の金属製で形成して、第１固定部９を備えた下地側支持部１２と、第２固定部１０を備えた他物支持部１３とに上下に分割構成し、下地側支持部１２の上端部と、他物支持部１３の下端部とに、相互に第１ボルト２０を介して連結自在な連結部２１を設け、連結部２１を構成するために、下地側支持部１２の第１周側板３１に上下長孔状のボルト挿通孔３３を形成し、他物支持部１３の第２周側板３２に、ボルト挿通孔３４を形成して、第１ボルト２０及びナットＮによる締め付けにより、下地側支持部１２に対する他物支持部１３の相対連結姿勢が、上下位置変更自在になるように構成してある。
【００１７】
下地側支持部１２は、下地にアンカー部材８を介して固定可能な前記第１固定部９を形成する接地板部材３８と、その接地板部材３８に対して立設し、且つ、上端部に前記連結部２１を形成する縦筒形状の筒本体部３９とを、溶接一体化して形成してある。
図中３５は、アンカー部材８のボルト挿通孔である。
そして、前記筒本体部３９の下端部に下地に接地する筒状接地部３９Ａを形成し、接地板部材３８の周部で全周に亘って下地に面接当する鍔部１１にアンカー部材固定部３８Ａを設けると共に、接地板部材３８の内側部に上方に膨出する膨出補強部３８Ｂを設け、膨出補強部３８Ｂに筒本体部３９を貫通させる貫通孔４０を形成して、筒状接地部３９Ａとアンカー部材固定部３８Ａとを同時に下地に接地させた状態で、貫通孔４０に筒本体部３９を貫通させて接地板部材３８と筒本体部３９とを溶接により一体化してある。
また、横断面視で略４角形の縦筒形状の筒本体部３９の上端部に突出形成した第１周側板３１と、屋根部３７とを組みつけて溶接により一体化して、雨水等が筒本体部３９の下部に進入するのを防止してある。  
【００１８】
前記他物支持部１３は、第２固定部１０を上部に形成した第１分割支持部材４３と、連結部２１を下部に形成した第２分割支持部材４４とに互いに第３ボルト４５を介して上下連結自在に分割構成し、第１分割支持部材４３における第３ボルト４５のボルト挿通孔４８を、横方向に沿った長孔に形成して、第１分割支持部材４３が第２分割支持部材４４に対して横方向に移動調整できるように構成してある。
【００１９】
前記他物支持部１３における第２固定部１０には、他物３を固定する第２ボルト１９の軸部挿通孔５０を長孔に形成し、第２ボルト１９及びナットＮを介して他物３を第２固定部１０に固定自在に構成してある。
【００２０】
[別実施形態]
前記膨出補強部３８Ｂは、図５、図６に示すように、接地板部材３８の外周縁から内側部にかけて上方に膨出する度合いが大きくなる形状に形成すると共に、アンカー部材固定部３８Ａを、膨出補強部３８Ｂの中で複数個所にスポット的に凹入する形状に形成して、そのアンカー部材固定部３８Ａに六角穴のアンカー部材８を、ボルト頭が突出しないように取り付けできるように構成してあっても良い。
また、上記アンカー部材固定部３８Ａに取り付けたアンカー部材８に、樹脂製のキャップ４１等を被せて、スポット的に凹入するアンカー部材固定部３８Ａの凹入空間を埋めて、前記立上り防水層７を、滑らかな外表面になるように敷設しやすくしてあってもよい。
尚、前記下地側支持部１２と他物支持部１３とを別部材で構成して、それらを連結部２１で連結一体化するようにしてあるが、下地側支持部１２と他物支持部１３とが一部材で一体成形されているものでもよい。
【００２１】
図７に示すように、前記接地板部材３８において、膨出補強部３８Ｂを補強するために、その膨出補強部３８の裏面と筒状接地部３９Ａとに亘って溶接により一体化するリブ５１を設けてもよい。このリブ５１による補強により、筒本体部３９に対し横方向の外力が作用した場合に、接地板部材３８における膨出補強部３８Ｂの変形を防止して、接地板部材３８による支持効果が大きくなり、筒本体部３９の傾き作動や転倒を防止し易くできる。
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２２】
２      取付下地
３      他物
８      アンカー部材
９      第１固定部
１０    第２固定部
１２    下地側支持部
１３    他物支持部
１９    第２ボルト
２１    連結部
３８    接地板部材
３８Ａ  アンカー部材固定部
３８Ｂ  膨出補強部
３９    筒本体部
３９Ａ  筒状接地部
４０    貫通孔
５０    軸部挿通孔
５１    リブ
【図１】
2015014183.tif 000003
【図２】
2015014183.tif 000004
【図３】
2015014183.tif 000005
【図４】
2015014183.tif 000006
【図５】
2015014183.tif 000007
【図６】
2015014183.tif 000008
【図７】
2015014183.tif 000009